(57)【要約】      （修正有）【課題】ハンドル操作とは独立してハンドル洗浄用水の噴出調整と停止が可能なハンドル自洗式蛇口を提供する。【解決手段】手洗いの為にハンドル７を開放回動して水道水を蛇口の吐出口１７から流出させれば、蛇口内部のスピンドル３の第一の隙間１５からスピンドル３のスピンドル中空部１６を経て内部の水道水をスピンドル３の上部に導き、洗浄水止水弁１１を経てハンドル７の中央部上より噴出し、手洗いと同時にハンドル７の洗浄をおこなう事ができるものであり、洗浄水止水弁１１を上下に調整し、第二の隙間２６の間隔を調整することにより、洗浄水の噴出量を調整可能とした。【選択図】図６
2013119755.tif 000002
【特許請求の範囲】
【請求項１】
水道配管の末端に取り付けられ、ハンドルの回動操作により、水道水の流出と停止が自在な水道蛇口であって、蛇口本体外壁と、該蛇口本体外壁と一体に形成され水道管側と吐出口側とを仕切る仕切り壁と、該仕切り壁に設けられ前記水道官側より圧送される水道水を前記吐出口側に通水する通水孔と、該通水孔を開閉自在に当接し通水量を調節可能なパッキンと、一端が前記ハンドルの中央部に接合し、他端が前記パッキンに結合するスピンドルとで構成されており、前記スピンドルが前記仕切り壁の前記流出側に配置され、前記スピンドルの中空部と蛇口本体内の空間に連通する第一の開口部をスピンドルネジ部の上方に有し、前記ハンドルが前記ハンドル表面と前記スピンドルの中空部に連通する第二の開口部を有する事を特徴とするハンドル自洗式蛇口。
【請求項２】
前記ハンドルを開放方向に所定以上回動させたとき、前記スピンドルネジ部上方に設けられた第一の開口部がスピンドルの回動により上方に移動して三角パッキン内に入り込み第一の開口部が閉鎖されることを特徴とする請求事項１に記載のハンドル自洗式蛇口。
【請求項３】
前記スピンドルの上方に前記第二の開口部の間隔を開閉自在に調整できるノブと、止水弁を設け、上方からの水道水の噴出量を調整することを特徴とした請求事項１に記載のハンドル自洗式蛇口。
【請求項４】
前記パッキンの前記通水孔への当接部形状がテーパー状である事を特徴とする、  求事項１に記載のハンドル自洗式蛇口。
【発明の詳細な説明】
【技術分野】
【０００１】
本発明は、ハンドル回動式蛇口において蛇口のハンドルを開放回動させた時に、蛇口の吐出口より水道水が流出すると同時に、ハンドル中央部上面よりハンドル洗浄用の水道水がハンドル上部より噴出して、ハンドルを自己洗浄することができる、ハンドル自洗式蛇口に関するものである。
【背景技術】
【０００２】
従来のハンドル回動式蛇口は例えば、図２に示すように蛇口のハンドル７を開放回動し、パッキン２を上方に移動して蛇口本体１内部の仕切り壁２９に設けられた通水孔１８を開き、蛇口の吐出口１７より水道水を流出させて使用する、使用後はハンドル７を閉鎖回動して、パッキン２を下方に移動させ、蛇口本体１内部の仕切り壁２９に設けられた通水孔１８を閉鎖し、水道水の流出を止める機構となっている。
【０００３】
従来のハンドル回動式蛇口では、汚れた手で蛇口のハンドル７を開放回動させ、蛇口内部の通水孔１８を開放し、吐出口より水道水を流出させ手を洗い、手洗いが完了した後再びハンドル７を閉鎖回動させ、蛇口内部のパッキン２で通水孔１８を閉鎖し、水道水の流出を止める操作を行うことで清潔になった手を、手洗い前にハンドル７に付けた汚れで再び汚すことになる。
【０００４】
ハンドル回動式蛇口を利用して手を洗い、汚を落とした後には、蛇口ハンドルを操作する前に蛇口の吐出口１７から流出している水を手ですくい、すくった水でハンドル７を洗浄し、その後蛇口のハンドル７をつまみ閉鎖回動を行い、流出している水道水を止める人が多く見掛けられる。手で水をすくってハンドルにかけ流す動作を複数回行う人もいる。
【０００５】
こうした行為はハンドル７に付けた汚れが、手洗い後再び手に付くと考え不安感により行っていることで、その間に流れ出ている水や、手洗いの順番を待っている人たちの時間は無駄なものである。
【０００６】
そうした欠点をなくすために、蛇口のハンドル７を開放回動し、蛇口の吐出口１７から水道水を流出させ手を洗うと同時に、ハンドル７を水道水で洗浄できれば、手洗い後に吐出口１７から流出している水道水を手ですくって、ハンドル７に掛けて洗い流す時間と、その間の水道水の無駄な流出をなしにできると共に、手洗い場所の使用時間が短縮できる。このような考えに基づき考案されている蛇口もある（下記の特許文献１、２参照）。
【先行技術文献】
【特許文献】
【０００７】
【特許文献１】特開２００８-２８５８１２公報
【特許文献２】公開実用新案公報  平３-９３８６６
【発明の概要】
【発明が解決しようとする課題】
【０００８】
解決しようとする問題点は、汚れた手を洗うためにつまんだ蛇口のハンドル７で、手洗い後に止水するために、該ハンドル７を操作することにより手洗い前に付けた汚れで清潔になった手を汚してしまうことを防ぐ事で、学校、病院等での感染症の感染の原因を回避し、手洗いと同時にハンドル７が清潔になり安心して使用できるようにすることである。
【０００９】
しかしこのような考えに基づき考案された先行技術の蛇口では、ハンドル７の洗浄を行うためハンドル７の上部から噴出する洗浄水は、噴出量が調整できず、また不必要な時にもハンドル洗浄水を停止する事ができない、そしてハンドル７の開放回動をさらに続ければハンドル７の上部より洗浄水が多量に噴出し周囲に飛散する。
【００１０】
本発明の蛇口は、ハンドル７の中央上部から噴出する洗浄用の水道水をハンドル７の回動量の多少に係わらず調整ができるとともに、蛇口本体の吐出口１７からの流出量を多くする目的でハンドル７の開放回動を所定以上に進めた時には、ハンドル７の中央上部から噴出する洗浄用水道水が周囲に飛散しないように、洗浄水の噴出をハンドル７の操作とは独立させて噴出調整と停止をさせる事ができるハンドル自洗式蛇口を提供することである。
【課題を解決するための手段】
【００１１】
請求項１に記載の発明は、水道配管の末端に取り付けられ、ハンドルの回動操作により、水道水の流出と停止が自在な水道蛇口である蛇口本体外壁と、該蛇口本体外壁が一体に形成されている水道水管側と吐出口側とを仕切る仕切り壁と、該仕切り壁に設けられ、前記水道管側より圧送される水道水を前記吐出口側に通水する通水孔と、該通水孔を開閉自在に当接し、通水量を調節可能なパッキンと、一端が前記ハンドルの中央部に接合し、他端が前記パッキンに結合するスピンドルとで構成されている。前記スピンドルは、前記仕切り壁の流出側に配置されている。前記スピンドル内部に設けられた中空部と、蛇口本体内の空間に連通する第一の開口部をスピンドルネジ部の上方に有することで、蛇口内部の空間とハンドル上部への通水路を形成し、前記ハンドル中央部において、ハンドル中央部と、前記スピンドルの中空部に連通する第二の開口部が存在する。
【００１２】
請求事項２に記載の発明は、蛇口の吐出口から水道水を流出させた状態から、さらに流出量を多くした時、前記蛇口上部の洗浄水噴出を停止させる発明である。
前記蛇口の吐出口からの流出量を多くするため、ハンドルを開放方向に所定以上回動させたとき、前記スピンドルネジ部上方に設けられた第一の開口部が、スピンドルの回動により上方に移動して三角パッキン内に入り込み第一の開口部が閉鎖され、ハンドル洗浄水の噴出を停止することができる。
【００１３】
請求事項３に記載の発明は、前記蛇口上部からの噴出量を調整する発明である。
前記ハンドルの中央部と、前記スピンドルの上部に設けた第二の開口部の間隔を自在に調整できる洗浄水調整ノブと洗浄水止水弁をハンドル中央部に設け、ハンドルを所定位置に回動させ、水道水が蛇口吐出口とからの流出と、ハンドル上面より洗浄水として噴出を続けている時、洗浄水調整ノブを回動操作することにより洗浄水の噴出量を調整できる。また洗浄水調整ノブの回動により洗浄水の噴出のみを停止することができる。
【００１４】
請求事項４に記載の発明は、通水量を調節可能な前記パッキンがテーパー状をしているので、ハンドルの回動により流出量が急激に変化することがなく、また上部から噴出する水量もこれに連動して徐々に増したり、徐々に減らしたりできる。
【発明の効果】
【００１５】
本発明のハンドル自洗式蛇口は、蛇口本体の吐出口からの流出量を多くした時にはハンドルの上方からの洗浄水も多量に噴出する。この時に洗浄水開閉ノブを閉鎖回動し、洗浄水止水弁を下方に移動してハンドル押さえの上部に設けられた洗浄水止水リングとの第二の開口部を調整することにより、洗浄水の噴出量を調整する事ができる。洗浄水の噴出が必要ないときは、洗浄水が周りに飛散することがないよう洗浄水止水弁をさらに下げる。また洗浄水止水リングに密着させて停止させる事もできる。
【００１６】
散水等の目的で蛇口本体の吐出口にホース等を接続し、流出量を多くする場合、ハンドルの開放回動を所定以上に多くするが、この場合、第一の開口部はパッキン受けを経て三角パッキン内部に至り、水道水が第一の開口部に流入する事がなく、ハンドル上部から噴出している洗浄水は、洗浄水開閉ノブを操作することなく停止できる。
【００１７】
本発明のハンドル自洗式蛇口は、従来のハンドル回動式蛇口の本体、パッキン受け、三角パッキン、パッキン押さえの主要な部品をそのまま利用できる。従ってパッキン、スピンドル、ハンドル、ハンドル押さえ、洗浄水止水弁、洗浄水止水弁ホルダー、洗浄水開閉ノブ、洗浄水開閉ノブ固定ボルトを交換するだけでハンドル自洗式蛇口となる。
【００１８】
また消耗頻度の多いパッキン３はスピンドルと一体型ではなく、パッキンのみの交換ができ、先行技術によるスピンドルとパッキン一体型の交換より経済的である。
【００１９】
汚れた手を洗う人が自らハンドルに付けた汚れで、手洗い後清潔になった手でハンドルの閉鎖回動操作を行う目的でハンドルをつまみ再び汚す事がないため安心してハンドルに触れる事ができ、すくった水でハンドルを洗わなくても清潔であり、感染症の予防の対策にもなり、また手洗いの利用時間が短くてすみ、節水の効果がある。
【００２０】
本発明のハンドル自洗式蛇口はセンサー式蛇口と異なり、水道配管が設置されていればいずれの場所でも取り付けが可能であり、電気設備が必要なく、従来のハンドル回動式蛇口に比べ衛生面で改善され、災害時等の停電にも影響される事なく、公共施設、学校、病院、公園などに設置ができ、水道供給設備の障害がない限りどのような状態でも衛生的に利用する事ができる。
【図面の簡単な説明】
【００２１】
【図１】は本発明のハンドル自洗式蛇口の全体図。
【図２】は従来型のハンドル回動式蛇口の全体図。
【図３】はスピンドルの詳細図。
【図４】は洗浄水の噴出量調整部分の組み立て詳細図。
【図５】は使用していない状態のハンドル自洗式蛇口の詳細図。
【図６】はハンドル自洗式蛇口を利用している状態を示す詳細図。
【図７】は噴出量調整部分を閉鎖して、蛇口本体の吐出口から水道水を流出させている状態を示す詳細図。
【図８】はハンドル中央部の第二の開口部を開放しているが、第一の開口部１５が三角パッキン５の内にはいりこみ、洗浄水は流出せず蛇口本体の吐出口からのみ水道水が流出する詳細図。
【発明を実施するための形態】
【実施例】
【００２２】
実施例を図面により説明すると、図１は、本発明のハンドル自洗式蛇口の断面図で蛇口本体１、パッキン受け４、三角パッキン５、パッキン押さえ６は従来の蛇口の部品を流用している、図中の大きな楕円矢印は蛇口本体１の開閉ハンドル７の回動方向を示す、また小さな楕円矢印は洗浄水開閉ノブ１３の回動方向を示す。蛇口本体１内部の上下矢印は蛇口本体１のパッキン２の上下移動方向を示す。
【００２３】
図２は、従来のハンドル回動式蛇口を示す。図中の楕円矢印は、ハンドルの回動方向を、蛇口本体１内部の上下矢印は蛇口本体１のパッキン２の上下移動方向を示す。
【００２４】
図３は、スピンドル３の詳細である、中央にスピンドル中空部１６を設け、スピンドルネジ部２４の上方に、第一の開口部１５を設け、中空部と連通している状態を示す。
【００２５】
図４は、スピンドル３の上部に組付けられた洗浄水の噴出を調整する部分を示す。ハンドル７は中央部に開口を設けたハンドル押さえ９によりスピンドル３に固定されている。ハンドル押さえ９はハンドル押さえパッキン８を取り付けていることによりネジ部からの水道水が漏出する事はない。ハンドル７には洗浄水止水弁ホルダー１２を取り付けるホルダー用ネジ２８があり洗浄水止水弁ホルダー１２がねじ込まれている、そのためハンドル７を回動しても該スピンドル３、該洗浄水止水弁１１、は連動するため調整が変化する事はない。
【００２６】
洗浄水止水弁１１は、予め洗浄水止水弁ホルダー１２の、洗浄水止水弁取り付けネジ２７にねじ込まれて組み立てられ、洗浄水止水弁ホルダー１２と共に、ハンドル７の洗浄水止水弁ホルダー取り付けネジ２８にねじ込まれ、ハンドル７の中央に取り付けられる。
【００２７】
洗浄水開閉ノブ１３の開放回動を続けた場合、連動する洗浄水止水弁１１は上方に移動し、移動した洗浄水止水弁１１は洗浄水止水弁ホルダー１２に設けられた洗浄水止水弁取り付けネジ２７の上部に洗浄水止水弁フランジ２５が接触し、それ以上に開放回動はできないしまた洗浄水止水弁１１が外れることはない。
【００２８】
洗浄水開閉ノブ１３は、該洗浄水止水弁１１に、多角形の断面形状を持った洗浄水開閉ノブ軸２２を差し込み、洗浄水開閉ノブ固定ボルト１４で洗浄水止水弁１１に固定する、これにより洗浄水開閉ノブ１３を回動することにより洗浄水止水弁１１が上下移動して第一の開口部２６の間隔調整を行い、水道水による洗浄水の噴出量を調整することができ、さらに必要であれば停止させることもできる。
【００２９】
第二の開口部２６から流れ出た洗浄水は、洗浄水止水弁１１に設けられた洗浄水通水孔２０を経て、洗浄水開閉ノブ１３の空間に溢れ出る、溢れ出た洗浄水はハンドル７の上面に噴出すると共に洗浄水開閉ノブ通水孔２１を通り、洗浄水開閉ノブ１３の上面にも噴出して洗浄水開閉ノブ１３を洗浄する。図４に於いて上方の楕円矢印は洗浄水開閉ノブ１３の回動方向を示し、洗浄水通水孔２０内の上下矢印は洗浄水止水弁１１の上下移動方向を示す。
【００３０】
ハンドル７の上部より噴出する洗浄水を止める時には、洗浄水開閉ノブ１３を閉鎖回動し洗浄水止水弁１１を下方に移動しハンドル押さえ９に設けられた洗浄水止水リング１０に密着させれば洗浄水は停止できる。
【００３１】
図５は、ハンドル自洗式蛇口の拡大図で、流出を停止させている状態を示し、蛇口本体１内部の仕切り壁２９に設けられた通水孔１８がパッキン２により閉鎖されている、この時、第一の開口部１５は蛇口本体１の上部空間１９内にある。
【００３２】
図６は、ハンドル自洗式蛇口の拡大図で，ハンドル７の開放回動操作によりパッキン２が上方に移動して，仕切り壁２９に設けられた通水孔１８を開放し、水道水が吐出口１７に流出すると共に、上部空間１９を経て第一の開口部１５よりスピンドル中空部１６に入り、洗浄水開閉ノブ１３の開放回動により生じた第二の開口部２６から溢れ出る、溢れ出た水道水は洗浄水通水孔２０を経てハンドル７の上面に噴出すると共に、洗浄水開閉ノブ１３に設けられた洗浄水開閉ノブ通水孔２１を経て洗浄水開閉ノブ１３の上面にも流れ出ている状態を示す。図中矢印は水道水及びハンドル洗浄水の流れる方向を示し楕円矢印はハンドル７の開放回動方向を示す。
【００３３】
図７は、ハンドル自洗式蛇口の拡大図で、図６の状態と同様で蛇口本体１の吐出口１７より水道水が流出している状態を示す、洗浄水開閉ノブ１３の閉鎖回動により洗浄水止水弁１１が下方に移動し、ハンドル押さえ９に設けられた洗浄水止水リング１０に密着し、第二の開口部２６が閉鎖され、ハンドル洗浄水が噴出していない状態を示す。図中矢印は水道水の流れる方向を示す、楕円矢印は洗浄水開閉ノブ１３の閉鎖回動方向を示す。
【００３４】
図８は、図７と同様であるが蛇口本体１の吐出口１７からの流出量を多く必要とするため、ハンドル７の開放回動を所定以上に進めた状態を示す、この時第一の開口部１５はパッキン押さえ６で固定されている三角パッキン５の内部に至り、第二の開口部２６が開放されている状態にも係わらず洗浄水は噴出していない状態を示す。図中矢印は水道水の流れる方向を示す。
【産業上の利用可能性】
【００３５】
本発明の蛇口は設置に際しての費用は従来のハンドル回動式蛇口と変わらないが、衛生的には大きく改善され、学校、工場、公共施設、家庭の室内外で利用でき、また電気が必要なセンサー付き蛇口ではないため機構も従来のハンドル回動式蛇口と同様であり機械的な故障が起きる事もない、そして設置場所、設置条件の制約を受けることなく、水道配管の設置ができるところであれば簡単に取り付けができるので広範囲に利用される可能性は非常に大きい。
【符号の説明】
【００３６】
１、     蛇口本体
２、     パッキン
３、     スピンドル
４、     パッキン受け
５、     三角パッキン
６、     パッキン押さえ
７、     ハンドル
８、     ハンドル押さえパッキン
９、     ハンドル押さえ
１０、洗浄水止水リング
１１、洗浄水止水弁
１２、洗浄水止水弁ホルダー
１３、洗浄水開閉ノブ
１４、洗浄水開閉ノブ固定ボルト
１５、第一の開口部
１６、スピンドル中空部
１７、吐出口
１８、通水孔
１９、上部空間
２０、洗浄水通水孔
２１、洗浄水開閉ノブ通水孔
２２、洗浄水開閉ノブ軸  
２４、スピンドルネジ部
２５、洗浄水止水弁フランジ
２６、第二の開口部
２７、洗浄水止水弁取り付けネジ
２８、洗浄水止水弁ホルダー取り付けネジ
２９、仕切り壁
【図１】
2013119755.tif 000003
【図２】
2013119755.tif 000004
【図３】
2013119755.tif 000005
【図４】
2013119755.tif 000006
【図５】
2013119755.tif 000007
【図６】
2013119755.tif 000008
【図７】
2013119755.tif 000009
【図８】
2013119755.tif 000010